(57)【要約】【課題】異なる種類の電池ユニットの電池ケースの形状に関係なく電池ユニットが点灯ユニットに適合していないことを報知する。【解決手段】照明器具１は、光源（ＬＥＤモジュール２０）と、点灯ユニット４と、電池ユニット３とを備える。電池ユニット３は、蓄電池３０と、記憶部３５とを含み、点灯ユニット４に着脱可能である。記憶部３５は、電池ユニット３の識別情報を記憶する。点灯ユニット４において、判定部４０８は、記憶部３５に記憶されている識別情報を電池ユニット３から取得し、識別情報を用いて電池ユニット３が点灯ユニット４に適合しているか否かを判定する。報知部（モニタランプ４０５）は、電池ユニット３が点灯ユニット４に適合していないと判定部４０８で判定された場合に、電池ユニット３が点灯ユニット４に適合していないことを報知する。【選択図】図１
2018156894.tif 000002
【特許請求の範囲】
【請求項１】
光源と、
前記光源を点灯させる点灯ユニットと、
蓄電池を含み、前記点灯ユニットに着脱可能である電池ユニットとを備え、
前記電池ユニットは、前記電池ユニットの識別情報を記憶する記憶部を更に含み、
前記点灯ユニットは、
前記蓄電池を充電する充電回路と、
前記記憶部に記憶されている前記識別情報を前記電池ユニットから取得し前記識別情報を用いて前記電池ユニットが前記点灯ユニットに適合しているか否かを判定する判定部と、
前記電池ユニットが前記点灯ユニットに適合していないと前記判定部で判定された場合に前記電池ユニットが前記点灯ユニットに適合していないことを報知する報知部とを含む
ことを特徴とする照明器具。
【請求項２】
前記報知部は、前記充電回路による充電が行われているか否かを報知するモニタランプである
ことを特徴とする請求項１に記載の照明器具。
【請求項３】
前記充電回路は、前記電池ユニットが前記点灯ユニットに適合していないと前記判定部で判定された場合に前記蓄電池への充電を行わない
ことを特徴とする請求項１又は２に記載の照明器具。
【請求項４】
非常時に前記蓄電池から前記光源へ給電する点灯制御回路を更に備える
ことを特徴とする請求項１〜３のいずれか１項に記載の照明器具。
【発明の詳細な説明】
【技術分野】
【０００１】
本発明は、照明器具に関する。
【背景技術】
【０００２】
特許文献１には、光源を含む光源ユニットが電源ユニットから着脱自在である照明器具が記載されている。特許文献１に記載された照明器具では、電源ユニットの種別判定部が、電源ユニットに光源ユニットが接続されたときに、光源ユニットの種別情報を光源ユニットから取得している。
【０００３】
また、従来、蓄電池を有する電池ユニットが、光源を点灯させる点灯ユニットに対して着脱可能である照明器具がある。この場合、点灯ユニットに適合する電池ユニットを接続する必要がある。
【先行技術文献】
【特許文献】
【０００４】
【特許文献１】特開２０１１−１３８７１６号公報
【発明の概要】
【発明が解決しようとする課題】
【０００５】
ところで、従来の照明器具では、適合しない電池ユニットが点灯ユニットに接続された場合であっても、接続された電池ユニットをそのまま使用できたり、接続された電池ユニットの蓄電池に対して充電を開始したりする可能性があるという問題があった。
【０００６】
上記のような問題を解決するために、電池ユニットの蓄電池の種類に応じて電池ユニットの電池ケースの形状を変えたり、点灯ユニットの筐体の形状を変えたりすることも考えられる。
【０００７】
しかしながら、蓄電池の種類に応じて電池ユニットの電池ケースの形状を変えることは、電池ケースの種類が多くなり、設備投資の点で新たな問題が生じる。
【０００８】
本発明は上記の点に鑑みてなされた発明であり、本発明の目的は、異なる種類の電池ユニットの電池ケースの形状に関係なく電池ユニットが点灯ユニットに適合していないことを報知することができる照明器具を提供することにある。
【課題を解決するための手段】
【０００９】
本発明の一態様に係る照明器具は、光源と、点灯ユニットと、電池ユニットとを備える。前記点灯ユニットは、前記光源を点灯させる。前記電池ユニットは、蓄電池を含み、前記点灯ユニットに着脱可能である。前記電池ユニットは、記憶部を更に含む。前記記憶部は、前記電池ユニットの識別情報を記憶する。前記点灯ユニットは、充電回路と、判定部と、報知部とを含む。前記充電回路は、前記蓄電池を充電する。前記判定部は、前記記憶部に記憶されている前記識別情報を前記電池ユニットから取得し、前記識別情報を用いて前記電池ユニットが前記点灯ユニットに適合しているか否かを判定する。前記報知部は、前記電池ユニットが前記点灯ユニットに適合していないと前記判定部で判定された場合に、前記電池ユニットが前記点灯ユニットに適合していないことを報知する。
【発明の効果】
【００１０】
本発明の上記態様に係る照明器具によれば、異なる種類の電池ユニットの電池ケースの形状に関係なく、電池ユニットが点灯ユニットに適合していないことを報知することができる。
【図面の簡単な説明】
【００１１】
【図１】図１は、本発明の一実施形態に係る照明器具の回路ブロック図である。
【図２】図２は、同上の照明器具の分解斜視図である。
【図３】図３は、同上の照明器具の接続部の概略図である。
【図４】図４Ａ及び図４Ｂは、同上の照明器具の電池ユニットのブロック図である。
【発明を実施するための形態】
【００１２】
以下の実施形態は、照明器具に関し、特に、蓄電池を有する電池ユニットが、光源を点灯させる点灯ユニットに対して着脱可能である照明器具に関する。
【００１３】
（１）照明器具の全体構成
以下、本実施形態に係る照明器具１について、図面を参照して詳細に説明する。ただし、以下の説明では、特に断りのない限り、図２に示す矢印によって照明器具の上下、左右、前後の各方向を規定する。
【００１４】
照明器具１は、図２に示すように、本体１０と、光源ユニット２と、電池ユニット３と、点灯ユニット４と、カバー５と、複数（図１では２つ）の支持具６と、複数（図１では２つ）の取付ばね７とを備える。照明器具１は、電池内蔵型の非常灯（非常用照明器具）として構成されており、建物の通路や廊下などの天井に埋込配設される。
【００１５】
（２）照明器具の各構成要素
以下、本実施形態に係る照明器具１の各構成要素について、図面を参照して説明する。
【００１６】
（２．１）光源ユニット
光源ユニット２は、ＬＥＤモジュール２０（図１参照）と、放熱部材２１と、レンズブロック２２と、取付部材２３とを備える。ＬＥＤモジュール２０では、矩形平板状の実装基板の実装面の中央に少なくとも１個のＬＥＤチップ（固体発光素子）が実装される。上記ＬＥＤチップは、例えば、青色光を放射する青色発光ダイオードであることが好ましい。また、ＬＥＤチップを含む実装基板の実装面は、ＬＥＤチップから放射される青色光を波長変換する蛍光物質が混入された封止樹脂で円盤状に被われる。さらに、実装基板には、カソードの電極とアノードの電極とが形成されている。なお、ＬＥＤモジュール２０は、アノードの電極とカソードの電極との間に直流電圧が印加されることにより、白色の照明光を放射するように構成される。
【００１７】
レンズブロック２２は、例えば、ガラス製であって、概ね円錐台形状のレンズ部２２０と、レンズ部２２０の周縁から外向きに突出する円環状の外鍔部とを有する。レンズ部２２０は、概ね回転放物面形状の入射面が形成されている。レンズ部２２０は、入射面に入射する光（ＬＥＤモジュール２０から放射される照明光）の配光を制御するように構成される。
【００１８】
取付部材２３は、例えば、ポリカーボネート樹脂などの合成樹脂材料によって、概ね楕円形状に形成されている。取付部材２３は、上下方向から見た形状が円形である凹所２３０と、凹所２３０の底に開口する円形の窓孔２３１とを有している。また、取付部材２３は、長軸方向の両端に、それぞれねじ挿通孔を有している。
【００１９】
放熱部材２１は、結合部２１０と、固定部２１１と、突板部２１２とを有している。結合部２１０は、左右方向を長手方向とする平板状に形成されている。結合部２１０の下面における左右方向の中央から右寄りの位置に、ＬＥＤモジュール２０（図１参照）やレンズブロック２２が取付部材２３によって取り付けられている。結合部２１０は、２つのねじ孔を有している。取付部材２３は、２つのねじ挿通孔にそれぞれ挿通された２本（図２では１本のみ図示）のねじ２３２が、結合部２１０の２つのねじ孔にそれぞれねじ込まれることにより、結合部２１０に固定される。また、結合部２１０は、２つの丸孔２１００と、１つの角孔２１０１とを有している。２つの丸孔２１００は、前後方向に一列に並ぶように設けられている。角孔２１０１は、２つの丸孔２１００の間に設けられている。固定部２１１は、概ね矩形の平板状であって、結合部２１０の左側の縁から上向きに起立するように結合部２１０と一体に形成されている。また、固定部２１１は、前寄りの上端の近くにねじ孔２１１０が設けられている。さらに、固定部２１１は、前後方向の中央に、上端が開放された矩形の縦溝２１１１が形成されている。突板部２１２は、結合部２１０の右側の縁から上向きに起立するように結合部２１０と一体に形成されている。なお、結合部２１０、固定部２１１及び突板部２１２は、例えば、アルミ又はアルミ合金製の板材によって一体に形成されている。
【００２０】
（２．２）本体
本体１０は、下面が開口した有底筒状に形成されており、電池ユニット３及び点灯ユニット４を収容する。また、本体１０は、１２個の平坦な壁を有する角筒状に形成されている。１２個の壁のうち、左側に位置する平坦な壁（平坦壁１５）に、ねじ挿通孔１５０が設けられている。さらに、本体１０の１２個の壁のそれぞれの下端縁には、外向きに突出する複数のフランジ片１００が形成されている。
【００２１】
本体１０の左右両側の平坦壁１５には、それぞれ支持具６が１つずつ取り付けられている。一対の支持具６は、長尺の板ばね状に形成されている。各支持具６は、長手方向の一端部で本体１０の平坦壁１５に固定されており、かつ、長手方向の他端部が本体１０の底板に近付く向き（上向き）に撓み可能に構成されている。つまり、本体１０は、埋込孔内に挿入される一対の支持具６と、本体１０の下端面に設けられる複数のフランジ片１００との間で天井材を挟み込むようにして天井材に支持される。
【００２２】
（２．３）カバー
カバー５は、本体１０の外径（複数のフランジ片１００の先端縁の外径）よりも大きい円盤状に形成されており、中央に円形の窓孔５０が設けられている。窓孔５０には、光源ユニット２のレンズ部２２０が挿通される。カバー５は、本体１０の前面の開口を開放可能に塞ぐように構成されている。カバー５の上面における前端及び後端には、それぞれ取付ばね７が取り付けられている。一対の取付ばね７は、本体１０の内周面の前側及び後側にそれぞれ一対ずつ設けられる挿通溝１３に抜き差し可能に挿通される。つまり、カバー５は、一対の取付ばね７がそれぞれ一対の挿通溝１３に挿通されることにより、本体１０の下面を閉塞する状態で本体１０に保持される。また、カバー５は、窓孔５０の近傍に４つの孔（第１孔５３、第２孔５４、第３孔５５、第４孔５６）が設けられている。なお、４つの孔５３〜５６は、縦横２列かつ等間隔に並べて設けられている。
【００２３】
（２．４）電池ユニット
電池ユニット３は、複数本の蓄電池３０（図４Ａ及び図４Ｂ参照）と、記憶部３５と、複数本の蓄電池３０及び記憶部３５を収容する電池ケース３１とを備える。各蓄電池３０は、例えば、円筒形のニカド電池、又は、円筒形のニッケル水素電池などの２次電池である。電池ケース３１は、上下両側の底面が馬蹄形（Ｕ字形）である筒状に形成されている。複数本の蓄電池３０は、例えば、軸方向を上下方向とし、径方向に沿って一列に並ぶように電池ケース３１内に収容されている。電池ユニット３は、点灯ユニット４に着脱可能に形成されている。
【００２４】
記憶部３５は、例えば半導体メモリであり、電池ユニット３の識別情報を記憶する。識別情報は、電池ユニット３の種類に応じて個別に付与されている。電池ユニット３の種類は、例えば、電池ユニット３（複数本の蓄電池３０）からの電力供給による光源の点灯継続時間（例えば３０分間、６０分間）、光源の定格電力によって区別される。特に、照明器具１が非常灯（非常用照明器具）又は誘導灯などの防災用照明器具である場合、光源の点灯継続時間及び定格電力は、法律などで定められている。電池ユニット３からの出力電圧が同じであっても、容量が異なる場合、これらの電池ユニット３には、異なる識別情報を付与する必要がある。
【００２５】
電池ユニット３には、図４Ａ及び図４Ｂに示すように、様々な種類がある。図４Ａに示す電池ユニット３は、３本の蓄電池３０を有するタイプである。図４Ｂに示す電池ユニット３は、２本の蓄電池３０を有するタイプである。図４Ａに示す電池ユニット３と、図４Ｂに示す電池ユニット３とでは、互いに異なる識別情報が付与されている。
【００２６】
電池ユニット３は、コネクタ部３２（第１接続部）を更に備える。コネクタ部３２は、電池ケース３１の下側の前端部に設けられており、点灯ユニット４と電気的に接続される。また、コネクタ部３２は、図３に示すように、一対の電力用コンタクト３２１、３２２（第１電力端子）と、情報用コンタクト３２３（第１情報端子）と、コネクタハウジング３２０とを有する。
【００２７】
コネクタハウジング３２０は、電力用コンタクト３２１が挿入される第１挿入穴３２０１と、電力用コンタクト３２２が挿入される第２挿入穴３２０２と、情報用コンタクト３２３が挿入される第３挿入穴３２０３とを有する。コネクタハウジング３２０は、一対の電力用コンタクト３２１、３２２及び情報用コンタクト３２３からなる３本のコンタクトを互いに電気的に絶縁した状態で支持する。
【００２８】
片方の電力用コンタクト３２１は、電池ケース３１内で電気的に直列接続されている複数本の蓄電池３０のうちの一方の端の蓄電池３０の正極と電気的に接続されている。もう片方の電力用コンタクト３２２は、他方の端の蓄電池３０の負極と電気的に接続されている。情報用コンタクト３２３は、記憶部３５に電気的に接続されている。
【００２９】
また、図２に示すように、電池ケース３１の下側の後端部には、第１抜け止め部３３と第２抜け止め部３４とが設けられている。第１抜け止め部３３は、上端が電池ケース３１に固定されて左右方向に撓み可能に構成される第１ばね片３３０と、第１ばね片３３０の下端寄りの左側面に設けられている第１突起３３１とを有する。第１突起３３１は、下に向かって第１ばね片３３０から離れる向きに傾斜する斜面を有した三角柱状に形成されている。また、第２抜け止め部３４は、上端が電池ケース３１に固定されて前後方向に撓み可能に構成される第２ばね片３４０と、第２ばね片３４０の下端寄りの前面に設けられる第２突起３４１とを有する。第２突起３４１は、下に向かって第２ばね片３４０から離れる向きに傾斜する斜面を有した三角柱状に形成されている。
【００３０】
（２．５）点灯ユニット
点灯ユニット４は、図１及び図３に示すように、光源ユニット２のＬＥＤモジュール２０を点灯させるように構成されている。点灯ユニット４は、点灯装置４０（図１参照）と、点灯装置４０を収容する筐体４１と、コネクタ４２（第２接続部）とを備える。
【００３１】
コネクタ４２は、筐体４１に電池ユニット３及び点灯ユニット４が収容されている状態において、電池ユニット３のコネクタ部３２に接続される。コネクタ４２は、一対の電力用コンタクト４２１、４２２（第２電力端子）と、情報用コンタクト４２３（第２情報端子）と、コネクタハウジング４２０とを有する。コネクタハウジング４２０は、一対の電力用コンタクト４２１、４２２及び情報用コンタクト４２３からなる３本のコンタクトを互いに電気的に絶縁した状態で支持する。一対の電力用コンタクト４２１、４２２は、点灯装置４０において充電回路４０１及び点灯回路４０２の両方に電気的に接続されている。情報用コンタクト４２３は、点灯装置４０において制御回路４０４に電気的に接続されている。コネクタ４２に電池ユニット３のコネクタ部３２が接続されているとき、電力用コンタクト４２１は、電池ユニット３の電力用コンタクト３２１に電気的に接続され、電力用コンタクト４２２は、電池ユニット３の電力用コンタクト３２２に電気的に接続される。また、コネクタ４２にコネクタ部３２が接続されているとき、情報用コンタクト４２３は、電池ユニット３の情報用コンタクト３２３に電気的に接続される。
【００３２】
点灯装置４０は、図１に示すように、直流電源回路４００と、充電回路４０１と、点灯回路４０２と、停電検出回路４０３と、制御回路４０４と、モニタランプ４０５と、複数の押釦スイッチ４０６Ａ、４０６Ｂと、受信部４０７とを備える。
【００３３】
直流電源回路４００は、例えば、リンギングチョークコンバータなどの自励型のスイッチング電源回路であり、外部電源（例えば、商用の電力系統）９から供給される交流電圧を、当該交流電圧の実効値よりも低い直流電圧に変換するように構成される。充電回路４０１は、電池ユニット３の複数本の蓄電池３０を充電するように構成されている。充電回路４０１は、外部電源９から給電されているときに動作し、直流電源回路４００から電池ユニット３へ一定の充電電流を流すように構成される。点灯回路４０２は、電池ユニット３から供給される直流電流を定電流化して光源ユニット２に供給するように構成される。停電検出回路４０３は、直流電源回路４００の出力電圧から外部電源９の停電を検出して制御回路４０４に通知するように構成される。受信部４０７は、赤外線を通信媒体とする無線信号を受信し、受信した無線信号から送信フレームを復調して制御回路４０４に渡すように構成される。この無線信号は、定期点検の作業を行う作業者に操作されるワイヤレス送信器から送信される。なお、定期点検は、法令で定められた期間ごとに実施され、点灯回路４０２を強制的に動作させて光源ユニット２が規定の時間以上、点灯状態を維持することを確認することを目的として行われる。
【００３４】
制御回路４０４は、プロセッサ及びメモリが搭載されたコンピュータ（マイクロコンピュータを含む）を主構成要素とする。上記コンピュータは、適宜のプログラムを実行することにより、制御回路４０４として機能する。
【００３５】
制御回路４０４は、点灯制御回路４０９を備える。点灯制御回路４０９は、非常時に蓄電池３０からＬＥＤモジュール２０へ給電するように構成されている。
【００３６】
点灯制御回路４０９は、停電検出回路４０３が停電を検出していないとき、充電回路４０１を動作させ、かつ、点灯回路４０２を停止させるように構成されている。また、点灯制御回路４０９は、停電検出回路４０３が停電を検出しているとき、充電回路４０１を停止させ、かつ、点灯回路４０２を動作させるように構成されている。さらに、点灯制御回路４０９は、一方の押釦スイッチ４０６Ｂが押操作された場合、又は、受信部４０７から送信フレームを受け取った場合、充電回路４０１を停止させ、かつ、点灯回路４０２を動作させて点検動作を行うように構成されている。ただし、点灯制御回路４０９は、他方の押釦スイッチ４０６Ａが押操作された場合は、点灯回路４０２を数秒間動作させた後、再度、点灯回路４０２を停止させ、かつ、充電回路４０１を動作させるように構成されている。
【００３７】
ところで、制御回路４０４は、判定部４０８を更に備える。判定部４０８は、電池ユニット３（蓄電池３０）が点灯ユニット４に適合するか否かを判定するように構成されている。特に、判定部４０８は、照明器具１の設置段階における電池ユニット３の適合性判断を行う。
【００３８】
判定部４０８は、記憶部３５に記憶されている識別情報を電池ユニット３から取得する。また、判定部４０８は、点灯ユニット４に適した識別情報を記憶している。そして、判定部４０８は、これらの識別情報を用いて電池ユニット３が点灯ユニット４に適合しているか否かを判定する。より詳細には、電池ユニット３が本体１０内に設置されるときに、電池ユニット３のコネクタ部３２が点灯ユニット４のコネクタ４２に接続されると、判定部４０８は、電池ユニット３から識別情報を取得する。電池ユニット３から取得した識別情報が、判定部４０８に記憶されている識別情報と一致する場合、判定部４０８は、電池ユニット３が点灯ユニット４に適合していると判定する。一方、電池ユニット３から取得した識別情報が、判定部４０８に記憶されている識別情報と異なる場合、判定部４０８は、電池ユニット３が点灯ユニット４に不適合であると判定する。なお、電池ユニット３から識別情報を取得できなかった場合も、判定部４０８は、電池ユニット３が点灯ユニット４に不適合であると判定する。
【００３９】
モニタランプ４０５は、例えば、緑色光を放射する発光ダイオードであり、充電回路４０１から電池ユニット３に供給される充電電流によって発光する。つまり、モニタランプ４０５は、充電回路４０１による充電が行われているか否かを報知する。作業者は、電池ユニット３を本体１０に取り付けたときに、モニタランプ４０５の点灯状態を確認する。
【００４０】
また、モニタランプ４０５は、電池ユニット３が点灯ユニット４に適合していないと判定部４０８で判定された場合に、電池ユニット３が点灯ユニット４に適合していないことを報知する。例えば、電池ユニット３が点灯ユニット４に適合していない場合、モニタランプ４０５は、正常時とは異なる点灯状態で点灯する。
【００４１】
また、充電回路４０１は、電池ユニット３が点灯ユニット４に適合していないと判定部４０８で判定された場合に、蓄電池３０への充電を行わない。
【００４２】
点灯装置４０は、プリント配線板からなる回路基板の第１面に実装される種々の電子部品と、回路基板の第２面（第１面の裏面）に形成される導体とで各回路を実現するように構成される。モニタランプ４０５、受信部４０７及び２つの押釦スイッチ４０６Ａ、４０６Ｂは、いずれも回路基板の第１面に実装される。ただし、２つの押釦スイッチ４０６Ａ、４０６Ｂは、いずれも押釦を下に向けて実装される。
【００４３】
（３）照明器具の組立手順
次に、照明器具１の組立手順を説明する。ただし、一対の支持具６は、既に本体１０に取り付けられている。
【００４４】
まず、組立作業を行う作業者は、本体１０内に点灯ユニット４を収容し、本体１０の底板の固定片に点灯ユニット４の筐体４１をかしめ固定する（図２参照）。それから、作業者は、光源ユニット２を点灯ユニット４の筐体４１に取り付ける。ここで、筐体４１の下面には、放熱部材２１の２つの丸孔２１００にそれぞれ個別に挿通される２つの突起４１１と、放熱部材２１の角孔２１０１に挿通される引掛部４１２とが下向きに突設されている。作業者は、放熱部材２１の固定部２１１に設けられている２つの丸孔２１００に２つの突起４１１を個別に挿通し、かつ、角孔２１０１に挿通した引掛部４１２を角孔２１０１の周囲に引っ掛けて、光源ユニット２を筐体４１に仮止めする。このとき、作業者は、本体１０の左側の平坦壁１５と点灯ユニット４との間に放熱部材２１の固定部２１１を差し込み、かつ、電池ケース３１の内側（左側）に突板部２１２を配置する。なお、光源ユニット２のプラグコネクタ２６は、筐体４１の中央の開口部の奥に配置されているレセプタクルコネクタと電気的かつ機械的に接続される。そして、作業者は、本体１０の外から平坦壁１５のねじ挿通孔１５０にねじ１５１を挿通し、放熱部材２１の固定部２１１のねじ孔２１１０にねじ１５１をねじ込む。その結果、放熱部材２１は、固定部２１１が本体１０にねじ止めされることにより、本体１０と熱的及び機械的に結合される。
【００４５】
続いて、作業者は、本体１０内に電池ユニット３を収容する。電池ユニット３のコネクタ部３２は、電池ユニット３が本体１０内に収容される際に、点灯ユニット４の筐体４１に設けられている開口部を通して、点灯ユニット４のコネクタ４２と電気的かつ機械的に接続される。ここで、筐体４１の右側面の後端寄りの部位には、凹部が設けられている。そして、電池ユニット３の第１抜け止め部３３の第１突起３３１が筐体４１の凹部に引っ掛かることにより、電池ユニット３が点灯ユニット４の筐体４１に取り付けられる。一方、電池ユニット３を本体１０から取り外す場合、作業者は、最初に第１抜け止め部３３の第１ばね片３３０を指で摘まんで撓ませ、第１突起３３１と凹部の引っ掛かりを解除する。そうすると、電池ユニット３は、第２抜け止め部３４の第２突起３４１が放熱部材２１の結合部２１０に引っ掛かる位置まで引き下ろされる。そこから、作業者が第２ばね片３４０を指で摘まんで撓ませ、第２突起３４１と結合部２１０との引っ掛かりを解除すれば、電池ユニット３を本体１０から引き抜いて取り外すことができる。
【００４６】
最後に、作業者は、一対の取付ばね７を本体１０の内周面の前側及び後側にそれぞれ一対ずつ設けられる挿通溝１３に挿通することにより、本体１０の下面を閉塞するようにカバー５を本体１０に保持させる。以上のようにして、照明器具１の組立が完了する。
【００４７】
（４）照明器具の動作
次に、本実施形態に係る照明器具１の動作について説明する。
【００４８】
まず、電池ユニット３（蓄電池３０を含む）の種類を表す識別情報を電池ユニット３の記憶部３５があらかじめ記憶している。点灯ユニット４が既に収容されている本体１０に、電池ユニット３が収容される際に、第１接続部としてのコネクタ部３２が第２接続部としてのコネクタ４２に接続されたときに、記憶部３５の識別情報が電池ユニット３から点灯ユニット４へ送信される。点灯ユニット４の判定部４０８は、電池ユニット３からの識別情報が判定部４０８に記憶されている識別情報と一致するか否かを判定する。２つの識別情報が一致する場合、判定部４０８は、電池ユニット３が適合していると判定する。一方、２つの識別情報が異なる場合、判定部４０８は、電池ユニット３が不適合であると判定する。報知部としてのモニタランプ４０５は、判定結果に応じて、点灯状態を変化させる。
【００４９】
また、電池ユニット３が適合であると判定部４０８で判定された場合、充電回路４０１は、電池ユニット３の蓄電池３０への充電を開始する。一方、電池ユニット３が不適合であると判定部４０８で判定された場合、充電回路４０１は、電池ユニット３の蓄電池３０への充電を行わない。
【００５０】
（５）変形例
電池ユニット３において、電池ユニット３の識別情報を記憶する記憶部は、半導体メモリには限定されない。例えば、電池ユニット３は、上記記憶部として、識別情報ごとに異なる抵抗値を有する分圧抵抗の組合せを有していてもよい。この場合、点灯ユニット４は、上記分圧抵抗によって分圧された電圧の電圧値を識別情報として取得するように構成されていればよい。
【００５１】
点灯ユニット４の判定部４０８は、点灯ユニット４に適した１つの識別情報のみを記憶していることには限定されない。判定部４０８は、複数の識別情報を記憶していてもよい。この場合、実際に用いる識別情報を、ディップスイッチなどの切替手段によって切り替えるようにすればよい。これにより、異なる種類の電池ユニット３と組み合わされる点灯ユニット４の共通化を図ることができる。例えば点灯継続時間が３０分間である照明器具の点灯ユニットと、点灯継続時間が６０分間である照明器具の点灯ユニットとを共通にすることができるので、製造上の利点がある。
【００５２】
電池ユニット３が点灯ユニット４に適合していないことを報知する報知部は、充電回路４０１による充電が行われているか否かを報知するモニタランプ４０５には限定されない。上記報知部は、モニタランプ４０５とは別体の表示部であってもよい。また、上記報知部は、表示部には限定されない。上記報知部は、例えばスピーカのような、音又は音声を出力する音出力部であってもよい。さらに、モニタランプ４０５は、電池ユニット３が点灯ユニット４に適合していない場合、消灯するように設定されていてもよい。要するに、報知部は、電池ユニット３が点灯ユニット４に適合していないことを報知する機能を有していればよい。
【００５３】
電池ユニット３が点灯ユニット４に適合していないと判定部４０８で判定された場合、充電回路４０１は、蓄電池３０への充電を行わないことには限定されない。電池ユニット３が点灯ユニット４に適合していない場合であっても、蓄電池３０への充電を許容してもよいときは、充電回路４０１は、蓄電池３０への充電を行ってもよい。
【００５４】
電池ユニット３から点灯ユニット４への識別情報に関する通信は、有線での通信には限定されず、非接触通信（無線通信を含む）であってもよい。上記通信が非接触通信である場合、電池ユニット３の情報用コンタクト３２３及び点灯ユニット４の情報用コンタクト４２３は不要である。言い換えると、電池ユニット３は、電力用コンタクト３２１、３２２としての２本のコンタクトのみを有していればよく、点灯ユニット４は、電力用コンタクト４２１、４２２としての２本のコンタクトのみを有していればよい。つまり、識別情報の通信のためにコンタクトを増やす必要がない。
【００５５】
照明器具は、埋込型の非常灯に限定されず、天井に直付けされる直付け型の非常灯であっても構わない。
【００５６】
また、照明器具は、非常灯ではなく、非常時に人を誘導するための誘導灯であってもよい。要するに、照明器具は、防災用照明器具であることが好ましい。
【００５７】
（６）効果
以上説明したように、本発明の第１の態様に係る照明器具１は、光源（ＬＥＤモジュール２０）と、点灯ユニット４と、電池ユニット３とを備える。点灯ユニット４は、光源を点灯させる。電池ユニット３は、蓄電池３０を含み、点灯ユニット４に着脱可能である。電池ユニット３は、記憶部３５を更に含む。記憶部３５は、電池ユニット３の識別情報を記憶する。点灯ユニット４は、充電回路４０１と、判定部４０８と、報知部（モニタランプ４０５）とを含む。充電回路４０１は、蓄電池３０を充電する。判定部４０８は、記憶部３５に記憶されている識別情報を電池ユニット３から取得し、識別情報を用いて電池ユニット３が点灯ユニット４に適合しているか否かを判定する。報知部は、電池ユニット３が点灯ユニット４に適合していないと判定部４０８で判定された場合に、電池ユニット３が点灯ユニット４に適合していないことを報知する。
【００５８】
第１の態様に係る照明器具１では、点灯ユニット４が、電池ユニット３の識別情報を取得し、この識別情報を用いて電池ユニット３が適合しているか否かを判定する。そして、電池ユニット３が点灯ユニット４に適合していないことを報知部（ＬＥＤモジュール２０）が報知する。これにより、電池ユニット３が点灯ユニット４に適合していない場合に作業者に知らせることができるので、電池ユニット３と点灯ユニット４との組合せの間違いを低減させることができる。
【００５９】
特に、照明器具１が非常灯又は誘導灯などの防災用照明器具である場合、光源の点灯継続時間及び定格電力が法律などで定められているため、電池ユニット３と点灯ユニット４との組合せの間違いを低減させる必要があり、効果的である。
【００６０】
本発明の第２の態様に係る照明器具１では、第１の態様において、報知部は、充電回路４０１による充電が行われているか否かを報知するモニタランプ４０５である。
【００６１】
第２の態様に係る照明器具１では、報知部が、充電回路４０１による充電が行われているか否かを報知するモニタランプ４０５である。これにより、充電状態を報知するモニタランプ４０５を用いて、電池ユニット３が点灯ユニット４に適合していないことを作業者に知らせることができる。
【００６２】
本発明の第３の態様に係る照明器具１では、第１又は第２において、充電回路４０１は、電池ユニット３が点灯ユニット４に適合していないと判定部４０８で判定された場合に、蓄電池３０への充電を行わない。
【００６３】
第３の態様に係る照明器具１では、不適合の蓄電池３０への充電を行わない。これにより、間違った使用を継続することを低減させることができる。
【００６４】
本発明の第４の態様に係る照明器具１は、第１〜第３の態様のいずれか１つにおいて、点灯制御回路４０９を更に備える。点灯制御回路４０９は、非常時に蓄電池３０から光源（ＬＥＤモジュール２０）へ給電する。
【００６５】
第４の態様に係る照明器具１では、非常時に蓄電池３０から光源（ＬＥＤモジュール２０）へ給電する。これにより、非常時に光源を点灯させることができる。
【符号の説明】
【００６６】
１  照明器具
２  光源ユニット
２０  ＬＥＤモジュール（光源）
３  電池ユニット
３０  蓄電池
３５  記憶部
４  点灯ユニット
４０１  充電回路
４０５  モニタランプ（報知部）
４０８  判定部
４０９  点灯制御回路
【図１】
2018156894.tif 000003
【図２】
2018156894.tif 000004
【図３】
2018156894.tif 000005
【図４】
2018156894.tif 000006